(57)【要約】      （修正有）【課題】熱い飲み物を適度に保温するとともに、飲む前に中の温度が指や唇で感じることにより、熱い飲み物を飲用する際に唇などに火傷などすることを防止し、また、冷たいものを飲用する場合も冷たいものを沢山一気に口に入れて、歯に凍みるなどを防止する飲みやすいカップを提供する。【解決手段】二重構造の保温カップ１において開口部２付近を二重構造とせず、一重とした熱感知部３とし、熱感知部付近に触れたカップを持つ指や、熱感知部に触れた唇により熱を感知することで火傷などを防止しようとするものである。カップ１は外形において縦方向中間部付近が窪み部６を有し、手で持った際に窪み部６により回した指に上部が掛かり、手からカップ１を落としにくくなっている。また、下部膨らみ部４は二重構造となっていると共に、手の掌の内側にすっぽり収まりやすく、持ちやすい形状となっている。【選択図】図１
0003188316.tif 000002
【実用新案登録請求の範囲】
【請求項１】
保温性を高めた二重構造の飲用のカップにおいて、
前記カップの開口部付近を、二重構造としない一重部分を形成し熱感知部としたこと
を特徴とする飲みやすいカップ。
【請求項２】
請求項１に記載の飲みやすいカップにおいて、
前記カップの外形において、縦方向中央付近に窪み部設け、
下方部に膨らみを持たせたこと
を特徴とする飲みやすいカップ。
【請求項３】
請求項１から請求項２の何れか一項に記載の飲みやすいカップにおいて、
前記熱感知部の幅を前記開口部から１０ｍｍ以上としたこと
を特徴とする飲みやすいカップ。
【請求項４】
請求項１から請求項３の何れか一項に記載の飲みやすいカップにおいて
内壁を開口部から奥に沿って、開口部より徐々に狭めた形状とし、
カップの中の飲用物が開口部より全て流れ出るために必要とするカップの傾き角を、
垂直に対し８５度以内としたのこと
を特徴とする飲みやすいカップ。
【請求項５】
請求項１から請求項４の何れか一項に記載の飲みやすいカップにおいて
開口部に、さらに開口部より外に広がる飲み口部を設けたこと
を特徴とする飲みやすいカップ。
【請求項６】
請求項１から請求項５の何れか一項に記載の飲みやすいカップにおいて、
陶磁器製としたこと
を特徴とする飲みやすいカップ。
【請求項７】
請求項１から請求項５の何れか一項に記載の飲みやすいカップにおいて、
金属性としたこと
を特徴とする飲みやすいカップ。
【請求項８】
請求項１から請求項５の何れか一項に記載の飲みやすいカップにおいて、
ガラス製としたこと
を特徴とする飲みやすいカップ。
【請求項９】
請求項１から請求項５の何れか一項に記載の飲みやすいカップにおいて、
紙やプラスチック製としたこと
を特徴とする飲みやすいカップ。
【考案の詳細な説明】
【技術分野】
【０００１】
本考案は、喫飲用の保温性カップに関するものである。
【背景技術】
【０００２】
従来、喫飲用の保温性カップは、ガラスや金属で二重構造にし開口部付近を溶着したものであった。また、最近では、プラスチックや紙により二重に形成し、開口部付近で重ねたものがある。さらには、プラスチック製品と金属などの組み合わせたものなどがある。
しかしながら、開口部付近で接合や溶着し、開口部付近で重ねたことにより、例えばカップに熱い飲み物を入れて口にする場合に、熱さを感じずに口にしてしまい唇などに火傷を負うことや、火傷などの過去の経験から恐る恐る飲むことになりかねなかった。また、カップ自身の外形が円筒や逆円錐台となっており、持ちにくく、手首の返しがしづらかった。
【０００３】
特許文献１に合成樹脂材により把手部付きの外側を成形し、内側に適当空間部をおいて、金属で容器内側を形成したマグカップが記載されているが、中に熱い飲み物を入れた際に、中の飲み物が熱いことを検知できずに口に入れてしまい、唇や口腔内にやけどをすることが考えられる。
【特許文献１】特許公開平７−３２７８０３号
【考案の開示】
【考案が解決しようとする課題】
【０００４】
熱い飲み物を適度に保温するとともに、飲む前に中の温度が指や唇で感じることにより、熱い飲み物を飲用する際に唇などに火傷などすることを防止する。また、冷たいものを飲用する場合も冷たいものを沢山一気に口に入れて、歯に凍みるなどを防止する。また、飲用時にお年寄り等が、持ちにくく、カップを落とす事がある。また、カップを大きく傾けないとカップ内部の液体が流出せずに頭を後ろに傾けないと中の飲み物が飲みにくい、唇の横からこぼしやすいなどの問題を解決する。
【課題を解決するための手段】
【０００５】
本考案の飲みやすいカップは、保温性を高めた二重構造の飲用のカップにおいて、
前記カップの開口部付近を、二重構造としない一重部分形成し熱感知部とした。
前記カップの外形において、縦方向中央付近に窪み部設け、
下方部に膨らみを持たせた。
前記熱感知部の幅を開口部から１０ｍｍ以上とした。
内壁を奥に沿って、開口部より徐々に狭めた形状とし、
カップの中の飲用物が開口部より全て流れ出るために必要とするカップの傾き角を、
垂直に対し８５度以内とした。
開口部に、さらに開口部より外に広がる飲み口部を設けた。
陶磁器製、金属製ガラス製、プラスチックや紙製とした。
ことを特徴とする飲みやすいカップである。
【考案の効果】
【０００６】
本考案の飲みやすいカップは、例えば熱い飲みものを入れて、飲用しようとする際に、開口部付近が二重でない一重とする事で、カップを持った手の指の腹などに上部付近で熱が伝わりやすくなるとともに、飲もうとする唇にも熱さが伝わり、熱い場合などに少しずつ口にするように促す事ができる。また、開口部付近を除き二重構造としていることや、膨らみを持たせていることにより、保温性が保たれるとともに、手に熱が伝わりにくく持ちやすくなる。保温性としては、例えばお茶やコーヒを飲む場合に長時間の保温性は必ずしもいらないと考えられ、簡易な保温カップが得られる。さらに、使い捨ての紙やプラスチックのカップの使用量が減らせる。
【図面の簡単な説明】
【０００７】
【図１】飲みやすいカップの実施例の平面図と断面図を示す。
【図２】飲みやすいカップの実施例の使用状態を示す。
【図３】飲みやすいカップの他の実施例の断面図を示す。
【図４】飲みやすいカップの他の実施例の平面図と断面図を示す。
【図５】飲みやすいカップの他の実施例の使用例を示す。
【図６】飲みやすいカップの他の実施例の使用例を示す。
【考案を実施するための形態】
【０００８】
図１は、飲みやすいカップの実施例を示し、（ａ）はカップ１を手８で握った状態を示し、（ｂ）はカップ１の断面図を示す。カップ１は外形において縦方向中間部付近が窪み部６を有し、手で持った際に窪み部６により回した指に上部が掛かり、手からカップ１を落としにくくなっている。また、下部膨らみ部４は二重構造となっていると共に、手の掌の内側にすっぽり収まりやすく、持ちやすい形状となっている。また、保温性が有り、例えば熱い飲み物を入れた際に持つ手８に熱が伝わりにくくなっている。また、下部の膨らみ部４と窪み部１の構造により、略ボールを握る様に握れるために、手首が自由に動かしやすく、手首が固いお年寄りなどでも、握り方で手の持つ角度を調整することができる。
図１（ｂ）に示すように開口部２付近は二重構造となっておらず、一重部分を形成しているため、手８で持った上側の指付近、例えば親指の腹には内部の温度が伝わりやすい。また、本カップ１を傾け唇に触れた際に、開口部付近は熱が伝わり、飲む前に、唇が熱を関知する。これらの事により、傾ける量を調整し、例えば少しずつ飲む様に心がける思考を伝えることになる。これにより唇に火傷をする事を防止する事ができる。
例えば、カップ１は磁器製とし、凹み部６を直径６０ｍｍから８０ｍｍとし（子供用の時は５０ｍｍ前後）、膨らみ部４の直径を凹み部６の径の１０ｍｍから２０ｍｍ大きくしたものである。
熱感知部３は開口部２から下方に、例えば１０〜５０ｍｍとし、さらに、理想的には３０ｍｍぐらいとする。
図示しないが、例えば、電子レンジなどで暖めた際に内部の空気の膨張で、破裂や破壊しないように、空気を漏らす空気穴や、弁を設けるなどや、空気穴にはキャップやパテで塞いでも良い。
この様に、例えば、熱い飲み物で言えば、熱さを関知しつも、保温ができ、持つ手が熱くない事や、持ちやすいことで、お年寄りや、小さな子供に便利な飲みやすいカップとなる。
【０００９】
図２は、飲みやすいカップ１の使用例を示し、内部の壁面は、開口部２が外側に広く奥に向かって狭まり、カップを真横にするまでに、中に注いだ飲みものが全て流れ落ちる構造となり、飲む人が頭を後ろに倒す量を押さえる（少なくする）ことができものであり、お年寄りなどにも飲みやすいカップである。
以降、説明が同様な点は省略する事とする。
【００１０】
図３は、飲みやすいカップ１１の他の実施例を示し、カップ１１は本体を例えばガラス製としたものを示す。
カップ１１は、カップの外側と、内側を成形後、それぞれを溶着したものを示す。
ガラス製にすることにより、例えばワインやビールなどを保冷して飲むのにも適したカップができる。
また、他の例として、ステンレス鋼板をプレス加工や絞り加工し、外側と内側を成形後にそれぞれを溶接し、内外面を磨きあげても良い。これにより、多用途な、壊れにくいカップができる。
またその際、開口部３の付近にカールを設けたり、縁を設けたりしても良い。
さらには、プラスチックで構成しても良い。
【００１１】
図４は、飲みやすいカップのカップ１ａを示し、開口部２ｃ付近に飲み口を設けたものを示す。飲み口は、開口部よりさらに外側に広がり、横に広がりを押さえることで唇からこぼれにくくする。
また、傾き線７を水平に対して立上がり角αを例えば８５度から７０度としたものを示す。
（言いかえれば、カップの中の飲用物が開口部より全て流れ出るために必要とするカップの傾き角を、垂直に対し８５度から７０度とした。）
図５はカップ１ａの使用例を示し、唇１０に飲み口５ａを載せて飲用する事により、横に広がりを押さえることで唇からこぼれにくく、強いては、こぼしにくくなる。
【００１２】
図６は、飲みやすいカップのカップ１２を示しカップ外側部１２ｂにカップ内側１２ａ部を被せる事により、カップ１２を形成したもの示す。例えば、ステンレス鋼でカップ内側１２ａを形成し、カップ外側１２ｂをプラスチックでインサート成型したものである。その際、カップ内側１２ａとカップ外側１２ｂの接合面に、突起部や、穴などを設け接合を高めても良い。また、プラスチック樹脂でインサート成型とせずに、別々に成型し後からはめ込みや接着としても良い。
また、紙やプラスチック、さらには、金属を含めた、これらの組合せ等でも良い。カップ内側部１２ａ，とカップ外側部１２ｂは、はめ込みでも、接着剤などによる接着により組み立てても良い。また、図示しないが底部に台座、例えば薄板を十字組み立てた台座をカップ外側１２ｂの内側に立て、カップ内側１２ａの底をその上に載せる様にしても良い。
以上、本考案に係る飲みやすいカップの各実施形態と実施例について説明した。
【００１３】
本考案に係る飲みやすいカップは上記に限らず、さらに多くの代替物、修正および変形例が当業者にとって明らかである。また、上記各実施形態や変形例における各特徴をそれぞれ組み合わせて用いることもできる。
【符号の説明】
【００１４】
１・１１・１ａ：カップ、
２・２ａ：開口部
３：熱感知部
４：膨らみ部
５ａ：飲み口部
６：窪み部
７：傾斜線
８：手
９：指
１０：唇
１２：カップ
１２ａ：カップ内側部
１２ｂ：カップ外側部
【図１】
0003188316.tif 000003
【図２】
0003188316.tif 000004
【図３】
0003188316.tif 000005
【図４】
0003188316.tif 000006
【図５】
0003188316.tif 000007
【図６】
0003188316.tif 000008
【手続補正書】
【提出日】平成25年11月26日(2013.11.26)
【手続補正１】
【補正対象書類名】明細書
【補正対象項目名】０００２
【補正方法】変更
【補正の内容】
【０００２】
従来、喫飲用の保温性カップは、ガラスや金属で二重構造にし開口部付近を溶着したものであった。また、最近では、プラスチックや紙により二重に形成し、開口部付近で重ねたものがある。さらには、プラスチック製品と金属などの組み合わせたものなどがある。
【手続補正２】
【補正対象書類名】明細書
【補正対象項目名】０００３
【補正方法】変更
【補正の内容】
【０００３】
特許文献１に合成樹脂材により把手部付きの外側を成形し、内側に適当空間部をおいて、金属で容器内側を形成したマグカップが記載されている。
【手続補正３】
【補正対象書類名】明細書
【補正対象項目名】０００４
【補正方法】変更
【補正の内容】
【０００４】
しかしながら、開口部付近で接合や溶着し、開口部付近で重ねたことにより、例えばカップに熱い飲み物を入れて口にする場合に、熱さを感じずに口にしてしまい唇などに火傷を負うことや、火傷などの過去の経験から恐る恐る飲むことになりかねなかった。また、カップ自身の外形が円筒や逆円錐台となっており、持ちにくく、手首の返しがしづらかった。
特許文献１のマグカップにおいては、中に熱い飲み物を入れた際に、中の飲み物が熱いことを検知できずに口に入れてしまい、唇や口腔内にやけどをすることが考えられる。
そこで、本考案の目的は、熱い飲み物を適度に保温するとともに、飲む前に中の温度が指や唇で感じることにより、熱い飲み物を飲用する際に唇などに火傷などすることを防止する。また、冷たいものを飲用する場合も冷たいものを沢山一気に口に入れて、歯に凍みるなどを防止する。また、飲用時にお年寄り等が、持ちやすくし、カップの落下を防止する。また、カップを大きく傾けないとカップ内部の液体が流出せずに頭を後ろに傾けないと中の飲み物が飲みにくく、唇の横からこぼしやすいなどの問題を解決する。
【手続補正４】
【補正対象書類名】明細書
【補正対象項目名】０００５
【補正方法】変更
【補正の内容】
【０００５】
本考案の飲みやすいカップは、保温性を高めた二重構造の飲用のカップにおいて、
前記カップの開口部付近を、二重構造としない一重部分形成し熱感知部とした。
前記カップの外形において、縦方向中央付近に窪み部設け、下方部に膨らみを持たせてもよい。
前記熱感知部の幅を開口部から１０ｍｍ以上としてもよい。さらに、３０ｍｍ以上としてもよい。
内壁を奥に沿って、開口部より徐々に狭めた形状とし、カップの中の飲用物が開口部より全て流れ出るために必要とするカップの傾き角を、垂直に対し８５度以内としてもよい。
開口部に、さらに開口部より外に広がる飲み口部を設けてもよく、陶磁器製、金属製ガラス製、プラスチックや紙製とすることもできる。
【手続補正５】
【補正対象書類名】実用新案登録請求の範囲
【補正対象項目名】全文
【補正方法】変更
【補正の内容】
【実用新案登録請求の範囲】
【請求項１】
保温性を高めた二重構造の飲用のカップにおいて、
前記カップの開口部付近を、二重構造としない一重部分を形成し熱感知部としたこと
を特徴とする飲みやすいカップ。
【請求項２】
請求項１に記載の飲みやすいカップにおいて、
前記カップの外形において、縦方向中央付近に窪み部設け、
下方部に膨らみを持たせたこと
を特徴とする飲みやすいカップ。
【請求項３】
請求項１または請求項２に記載の飲みやすいカップにおいて、
前記熱感知部の幅を前記開口部から１０ｍｍ以上としたこと
を特徴とする飲みやすいカップ。
【請求項４】
請求項１または請求項２に記載の飲みやすいカップにおいて、
前記熱感知部の幅を前記開口部から３０ｍｍ以上としたこと
を特徴とする飲みやすいカップ。
【請求項５】
請求項１から請求項４の何れか一項に記載の飲みやすいカップにおいて
内壁を開口部から奥に沿って、開口部より徐々に狭めた形状とし、
カップの中の飲用物が開口部より全て流れ出るために必要とするカップの傾き角を、
垂直に対し８５度以内としたのこと
を特徴とする飲みやすいカップ。
【請求項６】
請求項１から請求項５の何れか一項に記載の飲みやすいカップにおいて
開口部に、さらに開口部より外に広がる飲み口部を設けたこと
を特徴とする飲みやすいカップ。
【請求項７】
請求項１から請求項６の何れか一項に記載の飲みやすいカップにおいて、
陶磁器製としたこと
を特徴とする飲みやすいカップ。
【請求項８】
請求項１から請求項６の何れか一項に記載の飲みやすいカップにおいて、
金属性としたこと
を特徴とする飲みやすいカップ。
【請求項９】
請求項１から請求項６の何れか一項に記載の飲みやすいカップにおいて、
ガラス製としたこと
を特徴とする飲みやすいカップ。
【請求項１０】
請求項１から請求項６の何れか一項に記載の飲みやすいカップにおいて、
紙やプラスチック製としたこと
を特徴とする飲みやすいカップ。